(57)【特許請求の範囲】
【請求項１】
撮影レンズの合焦位置を調整する為の調整値を記憶する記憶部と、
制御部と、
を備え、
前記制御部は、
画像の切り替え要求を受け取ると、切り替え後の画像を表示部に表示する前に前記切り替え後の画像に対応するサムネイル画像を表示部に表示する第１のモードと、
画像の切り替え要求を受け取ると、前記切り替え後の画像に対応するサムネイル画像を前記表示部に表示せずに前記切り替え後の画像を前記表示部に表示する第２のモードとを有し、
複数の画像から選択された画像に基づいて前記調整値を取得する動作モードにおいて前記画像の切り替え要求を受けると、前記第２のモードで表示を制御する
撮像装置の制御装置。
【請求項２】
前記制御部は、前記第２のモードにおいて、前記切り替え後の画像に係るインデックス番号を前記表示部に表示するように制御を行うことを含む請求項１に記載の制御装置。
【請求項３】
前記制御部は、カメラグリッド表示設定が設定されていても、前記第２のモードにおいてはカメラグリッドが重畳されていない前記切り替え後の画像を前記表示部に表示するように制御を行う請求項１または２に記載の制御装置。
【請求項４】
ユーザの選択に基づいて撮影レンズの合焦位置を調整する為の、調整値を記憶する記憶部と、
制御部と、
を備え、
前記制御部は、
画像の切り替え要求を受け取ると、切り替え後の画像を第１の態様で表示部に表示する第１のモードと、
切り替え後の画像を前記第１の態様とは異なる第２の態様で前記表示部に表示する第２のモードとを有し、
前記第１のモードにおいて、カメラグリッド表示設定が設定されている場合は、カメラグリッドが重畳された前記切り替え後の画像を前記表示部に表示するように制御を行い、
前記第２のモードにおいて、
カメラグリッド表示設定が設定されていても、カメラグリッドが重畳されていない前記切り替え後の画像を前記表示部に表示するように制御を行い、
複数の画像から選択された画像に基づいて前記調整値を取得する動作モードにおいて前記画像の切り替え要求を受けると、前記第２のモードで表示を制御する
撮像装置の制御装置。
【請求項５】
前記複数の画像から選択された画像に基づいて前記調整値を取得する動作モードは、複数の画像から調整値の設定に用いる画像の選択をユーザの操作により受け付けるモードである請求項１乃至４のいずれか１項に記載の制御装置。
【請求項６】
前記制御部は、前記撮像装置が縦位置の状態で撮影されたことを示す縦撮影設定が記録されていても、前記第２のモードにおいては前記切り替え後の画像を回転させずに前記切り替え後の画像を前記表示部に表示するように制御を行う請求項１乃至５のいずれか１項に記載の制御装置。
【請求項７】
前記制御部は、ＡＦ枠を表示する設定が設定されている場合、前記第２のモードにおいて、前記第１のモードにおいて前記切り替え後の画像を表示する際に用いるＡＦ枠よりも大きなＡＦ枠を前記切り替え後の画像に重畳して前記表示部に表示するように制御を行う請求項１乃至６のいずれか１項に記載の制御装置。
【請求項８】
前記制御部は、前記切り替え後の画像に対して拡大位置及び拡大率が指定されている場合、前記第２のモードにおいて、前記切り替え後の画像に対して前記拡大位置及び拡大率を指定して前記表示部に表示するように制御を行う請求項１乃至７のいずれか１項に記載の制御装置。
【請求項９】
前記制御部は、前記第２のモードにおいて、切り替え前の画像を所定の時間だけ前記表示部に表示するように制御を行う請求項１乃至８のいずれか１項に記載の制御装置。
【請求項１０】
前記制御部は、前記第２のモードにおいて、前記画像の切り替え要求を受け取った場合、前記表示部に表示している画像の表示を中止し、前記切り替え後の画像を前記表示部に表示するように制御を行う請求項１乃至９のいずれか１項に記載の制御装置。
【請求項１１】
前記制御部は、前記調整値が所定の範囲外にある場合、前記表示部に警告を表示するように制御を行う請求項１乃至１０のいずれか１項に記載の制御装置。
【請求項１２】
前記制御部は、前記画像の切り替え要求を受け取った場合、所定の範囲外の前記調整値に対応する前記切り替え後の画像を前記表示部に表示しないように制御を行う請求項１乃至１１のいずれか１項に記載の制御装置。
【請求項１３】
前記制御部は、複数の前記画像のそれぞれについて前記調整値を算出し、所定の範囲内にある調整値をもたらす画像のみを前記切り替え後の画像として前記表示部に表示するように制御を行う請求項１乃至１２のいずれか１項に記載の制御装置。
【請求項１４】
前記複数の画像から選択された画像に基づいて前記調整値を取得する動作モードは、ピント位置ズラシ量を変更させてブラケット撮影を行うことにより、撮影された複数の画像から、調整値の設定に用いる画像の選択をユーザの操作により受け付けるモードである請求項１乃至１３のいずれか１項に記載の制御装置。
【請求項１５】
前記制御部は、
前記記憶部に記憶された調整値に基づいて調節された前記撮影レンズの合焦位置で撮影を行う通常撮影動作モードにおいて、前記画像の切り替え要求を受けると、前記第１のモードで表示を制御する
請求項１乃至１４のいずれか１項に記載の制御装置。
【請求項１６】
請求項１乃至１５のいずれか１項に記載の制御装置と、
前記撮影レンズからの光束が入射する撮像素子と
を備えた撮像装置。
【請求項１７】
撮影レンズの合焦位置を調整する為の、調整値を記憶するステップと、
画像の切り替え要求を受け取ると、切り替え後の画像を表示部に表示する前に前記切り替え後の画像に対応するサムネイル画像を表示するように制御する第１のモードと、画像の切り替え要求を受け取ると、前記切り替え後の画像に対応するサムネイル画像を前記表示部に表示せずに前記切り替え後の画像を表示するように制御する第２のモードとのいずれかで表示を制御するステップと、
を有し、
複数の画像から選択された画像に基づいて前記調整値を取得する動作モードにおいて前記画像の切り替え要求を受けると、前記第２のモードで表示を制御する
撮像装置の制御方法。
【発明の詳細な説明】
【技術分野】
【０００１】
本発明は、自動焦点（ＡＦ）検出装置を用いて撮影動作を行う撮像装置であって、ユーザが手動でＡＦの精度調整を行うことを可能にするマイクロアジャストメント機能を有する撮像装置の制御装置に関する。
【背景技術】
【０００２】
従来、レンズ交換が可能な一眼レフレックス方式のカメラシステムでは、一般的にＴＴＬ（Through The Lens）位相差方式の焦点検出方法が使用されている。一眼レフレックスカメラシステムの場合、通常、カメラ本体は、数種類の撮影レンズを装着可能に構成されている。当然のことながら撮影レンズ毎に製造誤差量が異なるため、撮影レンズ毎に合焦位置がズレるという問題が従来から知られている。
【０００３】
特許文献１は、製造時に調整されたＡＦの合焦位置から前後に合焦位置を微少量ずらして撮影を行い、ユーザーが狙った合焦位置に最も合致している撮影画像を選択し、その相対ズレ量をＡＦ補正値として合焦位置を補正する方法を開示する。
【０００４】
特許文献２は、レンズ毎に製造時に調整されたＡＦの合焦位置から前後に合焦位置を微少量ずらして撮影を行い、ユーザーが狙った合焦位置に最も合致している撮影画像を選択し、その相対ズレ量をＡＦ補正値として合焦位置を補正する方法を開示する。また、撮影モードと通常撮影モードの選択状態により動作を切り替える方法を開示する。
【先行技術文献】
【特許文献】
【０００５】
【特許文献１】特許第４３７８１４１号
【特許文献２】特開２０１１−２８４８号公報
【発明の概要】
【発明が解決しようとする課題】
【０００６】
特許文献１及び２に開示された技術では、ＡＦ補正値を算出する補正値算出モードにおける画像表示の仕組みが通常撮影モードにおける画像表示の仕組みと同じであるために、ＡＦ補正モードにおけるピントの確認が難しい問題がある。そこで、本発明は、ＡＦ補正値算出モードにおける画像表示の仕組みを、通常撮影モードにおける画像表示の再生表示の仕組みとは異なるようにし、上記問題を解決する撮像装置の制御装置を提供することを目的とする。
【課題を解決するための手段】
【０００７】
本発明によれば、撮影レンズの合焦位置を調整する為の調整値を記憶する記憶部と、制御部とを備え、前記制御部は、画像の切り替え要求を受け取ると、切り替え後の画像を表示部に表示する前に前記切り替え後の画像に対応するサムネイル画像を表示部に表示する第１のモードと、画像の切り替え要求を受け取ると、前記切り替え後の画像に対応するサムネイル画像を前記表示部に表示せずに前記切り替え後の画像を前記表示部に表示する第２のモードとを有し、複数の画像から選択された画像に基づいて前記調整値を取得する動作モードにおいて前記画像の切り替え要求を受けると、前記第２のモードで表示を制御する撮像装置の制御装置が提供される。
【発明の効果】
【０００８】
本発明の一実施形態に係る撮像装置の制御装置では、ＡＦ補正値を算出するＡＦ補正モードにおける画像表示の態様は、通常撮影モードの画像表示の態様とは異なり、ユーザにＡＦ補正モードにおけるピントの確認を容易にする。
【図面の簡単な説明】
【０００９】
【図１】本発明の一実施形態における撮像装置のブロック図である。
【図２】デフォーカス量検出の原理を説明する図である。
【図３】デフォーカス量検出の原理を説明する図である。
【図４】モード設定シーケンスの説明図である。
【図５】ＡＦキャリブレーション撮影シーケンスの説明図である。
【図６】ＡＦキャリブレーション撮影画像選択シーケンスの説明図である。
【図７】通常撮影選択シーケンスの説明図である。
【図８】通常撮影表示シーケンスの説明図である。
【図９】通常本画像表示シーケンスの説明図である。
【図１０】通常撮影表示画像の例である。
【図１１】通常撮影表示画像の例である。
【図１２】第１実施形態のＡＦキャリブレーション画像表示シーケンスの説明図である。
【図１３】第１実施形態のＡＦキャリブレーション本画像表示シーケンスの説明図である。
【図１４】ＡＦキャリブレーション撮影表示画像の例である。
【図１５】ＡＦキャリブレーション撮影表示画像の例である。
【図１６】第２実施形態のＡＦキャリブレーション画像表示シーケンスの説明図である。
【図１７】第３実施形態のＡＦキャリブレーション画像表示シーケンスの説明図である。
【図１８】第４実施形態のＡＦキャリブレーション本画像表示シーケンスの説明図である。
【図１９】第５実施形態のＡＦキャリブレーション画像表示シーケンスの説明図である。
【発明を実施するための形態】
【００１０】
［第１実施形態］
以下、図面を参照して、本発明の第１実施形態によるマイクロアジャストメントでのピント調整方法について説明する。
【００１１】
図１は、本実施形態に係る撮像装置１の構成を示すブロック図である。撮像装置１は、デジタルカメラであり、レンズユニット１００及びカメラ本体２００を備える。レンズユニット１００は、交換可能な撮影レンズを搭載するレンズユニットである。
【００１２】
カメラ本体２００には、レンズユニット１００がマウント機構（不図示）を介して着脱可能に取り付けられる。撮像装置１は、レンズユニット１００とカメラ本体２００との間のマウント部に電気的接点群１０７を有し、カメラ本体２００は、電気的接点群１０７を介してレンズユニット１００との間で通信を行い撮影レンズ１０１及び絞り１０２の駆動を制御する。
【００１３】
不図示の被写体像からの撮影光束は、撮影レンズ１０１及び光量を調節する絞り１０２を介して、カメラ本体２００のクイックリターンミラー２０２に導かれる。クイックリターンミラー２０２の中央部はハーフミラーになっており、クイックリターンミラー２０２がダウンした位置にて一部の被写体光束が透過するように構成されている。
【００１４】
クイックリターンミラー２０２を透過した被写体光束は、クイックリターンミラー２０２の後方へ設置されたサブミラー２０３により反射され、ＡＦセンサー２０４に導かれる。一方、クイックリターンミラー２０２で反射された撮影光束は、ペンタプリズム２０１、接眼レンズ２０６を介して撮影者の目に至る。
【００１５】
クイックリターンミラー２０２がアップした際には、撮影レンズ１０１からの光束は、フィルタ２０９及び機械シャッタであるフォーカルプレーンシャッタ２０８を介して、撮像素子としてのＣＭＯＳ等に代表されるイメージセンサ２１０に至る。なお、クイックリターンミラー２０２のアップ時には、サブミラー２０３は折り畳まれるように構成されている。
【００１６】
フィルタ２０９は、赤外線をカットし可視光線のみをイメージセンサ２１０へ導く機能と、被写体光の高周波成分をカットする光学ローパスフィルタとしての機能とを有する。フォーカルプレーンシャッタ２０８は、先幕及び後幕を有し、撮影レンズ１０１からの光束の透過及び遮断を制御する。
【００１７】
カメラ本体２００は、撮像装置１全体の制御手段となるＣＰＵにより構成されるシステムコントローラ２２３（制御部）を備え、ＥＥＰＲＯＭ２２２に格納された各種プログラムを基に後述する各部の動作を適宜制御する。ここで、撮像装置１の制御装置は、システムコントローラ２２３（制御部）及びＥＥＰＲＯＭ２２２（記憶部）を含み、カメラ本体２００に設けられる。なお、撮像装置１の制御装置は、レンズユニット１００に設けられていてもよい。
【００１８】
システムコントローラ２２３は、撮影レンズ１０１を光軸方向に移動してピント合わせを行うためのレンズ駆動機構１０３を制御するレンズ制御回路１０４と、絞り１０２を駆動するための絞り駆動機構１０５を制御する絞り制御回路１０６とに接続されている。また、システムコントローラ２２３は、クイックリターンミラー２０２のアップ・ダウンの駆動及びフォーカルプレーンシャッタ２０８のシャッターチャージ駆動を制御するシャッターチャージ・ミラー駆動機構２１１に接続されている。
【００１９】
また、システムコントローラ２２３は、フォーカルプレーンシャッタ２０８の先幕及び後幕の走行を制御するシャッタ制御機構２１２と、接眼レンズ２０６の近傍に配設された測光センサに接続された自動露出制御を行う測光回路２０７とに接続されている。また、システムコントローラ２２３は、カメラ本体２００を制御する上で調整が必要なパラメータ、撮像装置の個体識別のためのカメラＩＤ情報、基準レンズで調整されたＡＦ補正値及び自動露出補正値等を記憶するＥＥＰＲＯＭ２２２に接続されている。
【００２０】
ＥＥＰＲＯＭ２２２（記憶部）には、システムコントローラ２２３の動作用の定数、プログラム等が記憶される。ここでいう、プログラムとは、本実施形態にて後述する各種フローチャートを実行するためのプログラムのことである。
【００２１】
システムコントローラ２２３は、レンズユニット１００及びカメラ本体２００全体を制御し、ＥＥＰＲＯＭ２２２に記録されたプログラムを実行することで、後述する本実施形態の各処理を実現する。ＤＲＡＭ２２１には、システムコントローラ２２３の動作用の定数、変数、ＥＥＰＲＯＭ２２２から読み出したプログラム等が展開される。
【００２２】
レンズ制御回路１０４は、レンズ固有の情報（例えば焦点距離、開放絞り、レンズ個々に割り振られるレンズＩＤ、レンズ種類、製造者情報、レンズ状態等の情報）と、システムコントローラ２２３から受け取った情報を記憶する記憶手段（不図示）を有する。
【００２３】
カメラ本体２００は、パーソナルコンピュータ（ＰＣ）に代表される外部制御装置３００が接続可能になっており、通信インターフェース回路２２４を介してシステムコントローラ２２３は外部制御装置３００と通信可能である。
【００２４】
測光回路２０７に接続されている測光センサ（不図示）は、被写体の輝度を測定するためのセンサであり、その出力は測光回路２０７を経てシステムコントローラ２２３へ供給される。
【００２５】
システムコントローラ２２３は、レンズ制御回路１０４を介して、レンズ駆動機構１０３を制御し、撮影レンズ１０１を駆動させて、被写体像をイメージセンサ２１０上に結像させる。また、システムコントローラ２２３は、撮影モードにより設定されたＡｖ値に基いて、絞り制御回路１０６を介して絞り１０２を駆動する絞り駆動機構１０５を制御し、更に、設定されたＴｖ値に基いて、シャッタ制御機構２１２へ制御信号を出力する。
【００２６】
フォーカルプレーンシャッタ２０８の先幕及び後幕の駆動源は、バネにより構成されており、シャッタ走行後、次の動作のためにバネチャージを要する。シャッターチャージ・ミラー駆動機構２１１は、このバネチャージを制御するように構成されている。また、シャッターチャージ・ミラー駆動機構２１１によりクイックリターンミラー２０２のアップ・ダウンが行われる。
【００２７】
システムコントローラ２２３は、画像データコントローラ２２０にも接続されている。画像データコントローラ２２０は、ＤＳＰ（デジタル信号プロセッサ）により構成され、イメージセンサ２１０の制御及びイメージセンサ２１０から入力された画像データの補正や加工などをシステムコントローラ２２３の指令に基いて実行する。
【００２８】
画像データコントローラ２２０による画像データの補正・加工の項目にはオートホワイトバランスも含まれ、オートホワイトバランスは、撮影画像の中の最大輝度の部分を所定の色（白色）に補正する機能である。なお、オートホワイトバランスは、システムコントローラ２２３からの命令により補正量を変更する事が可能である。
【００２９】
画像データコントローラ２２０は、Ａ／Ｄコンバータ２１６、及びイメージセンサ２１０を駆動する際に必要なパルス信号を出力するタイミングパルス発生回路２１７に接続されている。Ａ／Ｄコンバータ２１６は、イメージセンサ２１０と共にタイミングパルス発生回路２１７で発生されたタイミングパルスを受けて、イメージセンサ２１０から出力される被写体像に対応したアナログ信号をデジタル信号に変換する。また、画像データコントローラ２２０は、得られた画像データ（デジタルデータ）を一時的に記憶しておくＤＲＡＭ２２１、Ｄ／Ａコンバータ２１５及び画像圧縮回路２１９に接続されている。
【００３０】
ＤＲＡＭ２２１は、加工や所定のフォーマットへのデータ変換が行われる前の画像データを一時的に記憶する。Ｄ／Ａコンバータ２１５は、エンコーダ回路２１４を介して画像の表示部である画像表示回路２１３に接続されている。また、画像圧縮回路２１９は、画像データ記録メディア２１８に接続されている。
【００３１】
画像表示回路２１３は、イメージセンサ２１０で撮像された画像データを表示するための回路であり、一般にはカラーの液晶表示素子により構成される。画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４は、Ｄ／Ａコンバータ２１５の出力を、画像表示回路２１３を駆動する際に必要な映像信号（例えばＮＴＳＣ信号）に変換する。
【００３２】
画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。画像データ記録メディア２１８としては、ハードディスク、フラッシュメモリ、フロッピー（登録商標）ディスク等が使用される。
【００３３】
システムコントローラ２２３は、カメラ本体２００の動作モードの情報や露出情報（シャッタ秒時、絞り値等）の表示を行うための動作表示回路２２５に接続されている。また、システムコントローラ２２３は、測光・測距などの撮影準備動作を開始させるためのレリーズＳＷ１（２３１）と、撮像動作を開始させるためのレリーズＳＷ２（２３０）とに接続されている。
【００３４】
また、システムコントローラ２２３は、ユーザーが所望の動作をカメラ本体２００に実行させるべくモードを設定するためのモード設定ＳＷ２２９と、画像選択手段やメニュー設定等の各種設定手段としての決定ＳＷ２２７とに接続されている。また、システムコントローラ２２３は、ブラケット量を設定するためのブラケット量設定ＳＷ２３２と、回転動作によりパラメータをアップ・ダウンさせて表示するための電子ダイヤルＳＷ２２６とに接続されている。また、システムコントローラ２２３は、メニューＳＷ２３６と、再生ＳＷ２３７と、拡大縮小ＳＷ２３８とに接続されている。
【００３５】
例えば、ユーザーによりメニューＳＷ２３６が押されると各種の設定可能なメニュー画面が画像表示回路２１３に表示される。ユーザーは、画像表示回路２１３に表示されたメニュー画面と、電子ダイヤルＳＷ２２６や決定ＳＷ２２７を用いて直感的にメニュー設定等の各種設定を行うことができる。
【００３６】
また、例えば、再生ＳＷ２３７が押されると各種の設定可能な再生画面が画像表示回路２１３に表示される。再生画面には画像データ記録メディア２１８に記録されている画像データが表示され、再生画面内で拡大縮小ＳＷ２３８が押されると画像が拡大又は縮小して画像表示回路２１３に表示される。ユーザーは、画像表示回路２１３に表示された再生画面と、電子ダイヤルＳＷ２２６や決定ＳＷ２２７や拡大縮小ＳＷ２３８とを用いて直感的に画像送り、拡大位置の指定、拡大縮小等の各種設定を行うことができる。
【００３７】
カウンター２３３は、各種ブラケット撮影を行う際にレリーズ回数をカウントするためのカウンターであり、システムコントローラ２２３に接続されている。カウンター２３３の計数値のリセットはシステムコントローラ２２３により行われる。
【００３８】
＜デフォーカス量検出の原理＞
次に、デフォーカス量検出（ピント位置ズレ量検出）の原理を図２、図３を参照して説明する。図２は、撮像素子上でのピント位置及びピント位置ズレを示した図である。
【００３９】
図２（ａ）に示すように、撮像素子上にピントがあっているとき、ラインセンサ上の２像間隔はある値をとる。この値は設計上求めることができるが、実際には、部品の寸法、バラツキや組立て上の誤差によって設計値と同じになるとは限らず、実際に測定してピントがあっているときの２像間隔（「基準２像間隔Ｌｏ」という。）を求める必要がある。基準２像間隔Ｌｏより２像間隔が狭まければ、図２（ｂ）に示す「前ピン」であり、Ｌｏより広ければ、図２（ｃ）に示す「後ピン」である。
【００４０】
図３は、ＡＦセンサモジュールの光学系からコンデンサレンズを省いたモデルを示した図である。図３に示すように、主光線の角度をθ、セパレータレンズの倍率をβ、像の移動量をΔＬ，ΔＬ’とすると、デフォーカス量Ｌは以下の式１で求まる。
【数１】
0006544936.tif 000002
ここで、βｔａｎθは、ＡＦセンサモジュールの設計上定まるパラメータであり、ΔＬ’は、基準２像間隔（Ｌｏ）と現在の２像間隔（Ｌｔ）から求めることができる。
【００４１】
ＡＦセンサー２０４は、撮影画面の複数の位置で焦点検出できるように、構成を複数具備している。ＡＦ機能のピント調整は、ピント位置が既知のレンズを用い、撮像素子の光軸上の位置（撮像素子の組み付け誤差）にピント位置が来るようにＡＦセンサー２０４から得られる２像間隔をＡＦピント補正パラメータとしてＥＥＰＲＯＭ２２２に記憶させる。しかし、これはデジタルカメラに取り付けられる撮影レンズが変わると撮影レンズ自体の製造誤差によりピント位置にバラツキが生じる。
【００４２】
したがって、システムコントローラ２２３は、ＡＦセンサー２０４の情報と、カメラ本体２００に装着されている撮影レンズ１０１の情報を基に、合焦位置を補正する為のＡＦ補正値を算出するＡＦキャリブレーションモード（ＡＦ補正モード）を実行する。これにより、システムコントローラ２２３は、撮影レンズ毎のバラツキを補正できるように、撮影レンズ個別のＡＦ補正値を算出する。
【００４３】
次に、システムコントローラ２２３のＡＦキャリブレーションモードによるＡＦ補正値（ＣＡＬデータ）の調整を行い、通常撮影にＡＦ補正値（ＣＡＬデータ）を利用する為のシーケンスについて図４〜図７を参照して説明する。
【００４４】
図４を用いて、撮影モードの設定及びＡＦキャリブレーションモードの設定シーケンスを説明する。このフローチャートにおける各処理はシステムコントローラ２２３がＥＥＰＲＯＭ２２２に格納されたプログラムを実行することにより実現される。
【００４５】
なお、メニューＳＷ２３６が押されると撮像装置１の電源制御部（不図示）が起動し、システムコントローラ２２３への給電が開始され、システムコントローラ２２３は、図４のＳ１０１より実行を開始し、各処理Ｓ１０１〜Ｓ１１９を実行する。
【００４６】
Ｓ１０１で、システムコントローラ２２３は、モード設定ＳＷ２２９がＯＮしたかどうか判定する。ＯＮしていれば、ユーザーによってモード設定操作が開始されたものと判定しＳ１０２に処理を移行する。
【００４７】
Ｓ１０２で、システムコントローラ２２３は、カメラ本体２００に装着されているレンズユニット１００の撮影レンズ１０１の状態判定（種別判定）を行い、撮影レンズ１０１が装着されているか否か判定する。また、このとき、システムコントローラ２２３は、レンズ制御回路１０４からの上記レンズ固有の情報を基に、装着されている撮影レンズ１０１がＡＦキャリブレーションモードによるＡＦ補正値の算出動作が可能か否かの判定を行う。
【００４８】
レンズユニット１００（撮影レンズ１０１）がカメラ本体２００に装着されていない場合、システムコントローラ２２３は、ＡＦキャリブレーションモードを選択設定不可と判断し、通常の撮影モード設定のためにＳ１０６へ処理を移す（Ｓ１０２でＮｏ）。また、撮影レンズ１０１が装着されている場合（Ｓ１０２でＹｅｓ）、システムコントローラ２２３は、Ｓ１０３へ処理を移行する。
【００４９】
また、Ｓ１０２で、システムコントローラ２２３は、レンズ制御回路１０４からのレンズ固有情報より、ＡＦキャリブレーションモードが選択設定可能か否かも判定する。ＡＦキャリブレーションモードが選択設定可能な場合（Ｓ１０２でＹｅｓ）、Ｓ１０３へ処理を移行し、後述する通常の撮影モード及びＡＦキャリブレーションモードの選択設定が行われる。また、ＡＦキャリブレーションモードが選択設定不可能な場合（Ｓ１０２でＮｏ）、Ｓ１０６へ処理を移行し、後述する通常の撮影モード設定が行われる。
【００５０】
なお、Ｓ１０２で、ＡＦキャリブレーションモードの設定が不可能な撮影レンズが装着されたと判定する場合には、ＡＦキャリブレーションモードの設定を不可能と判定し、選択動作の禁止指令をシステムコントローラ２２３へ伝達している。
【００５１】
Ｓ１０６で、システムコントローラ２２３は、カウンター２３３を用いて、モード選択の為の電子ダイヤルＳＷ２２６の操作クリック数を検出する。ユーザーが電子ダイヤルＳＷ２２６を回転させると、操作クリック毎に、撮影モードは、「ＴＶ」→「ＡＶ」→「Ｐ」→「ＴＶ」・・・とサイクリックに変化する。また、ユーザーが電子ダイヤルＳＷ２２６を逆方向に回転させると、操作クリック毎に、選択モードは、「ＴＶ」→「Ｐ」→「ＡＶ」→「ＴＶ」・・・とサイクリックに変化する。
【００５２】
Ｓ１０７で、システムコントローラ２２３は、モード設定ＳＷ２２９がＯＦＦしたかどうか判定する。ＯＦＦしたのであれば、Ｓ１０８で、システムコントローラ２２３は、その時に選択されていた撮影モードに撮像装置１を設定し、各撮影モードに応じた不図示の撮影シーケンスＳ１１９へ処理を移行する。
【００５３】
装着された撮影レンズ１０１に対するＡＦキャリブレーションモードによる補正値の算出動作が可能と判定され場合（Ｓ１０２でＹｅｓ）、Ｓ１０３へ処理が移行する。Ｓ１０３で、システムコントローラ２２３は、カウンター２３３を用いて、モード選択の為の電子ダイヤルＳＷ２２６の操作クリック数を検出する。
【００５４】
ユーザが電子ダイヤルＳＷ２２６を回転させると、操作クリック毎に、撮影モード及びＡＦキャリブレーションモードは、「ＴＶ」→「ＡＶ」→「Ｐ」→「ＡＦキャリブレーション」→「ＴＶ」・・・とサイクリックに変化する。また、ユーザーが電子ダイヤルＳＷ２２６を逆方向に回転させると、操作クリック毎に、選択モード及びＡＦキャリブレーションモードは、「ＴＶ」→「ＡＦキャリブレーション」→「Ｐ」→「ＡＶ」→「ＴＶ」・・・サイクリックに変化する。
【００５５】
Ｓ１０４で、システムコントローラ２２３は、モード設定ＳＷ２２９がＯＦＦしたかどうか判定する。ＯＦＦしたのであれば、Ｓ１０５で、システムコントローラ２２３は、その時に選択されていた撮影モード又はＡＦキャリブレーションモードに撮像装置１の撮影モードを設定する。
【００５６】
Ｓ１０９で、システムコントローラ２２３は、Ｓ１０５で設定されたモードがＡＦキャリブレーションモードであるかどうか判別する。ＡＦキャリブレーションモード以外の場合（Ｓ１０９でＮｏ）、システムコントローラ２２３は、Ｓ１１９に処理を移行し、設定された撮影モードに応じた撮影シーケンス（不図示）へ移行する。
【００５７】
Ｓ１０９にてＡＦキャリブレーションモードと判定した場合（Ｓ１０９でＹｅｓ）、Ｓ１１０で、システムコントローラ２２３は、再度、カメラ本体２００に装着されている撮影レンズ１０１の状態判定（種別判定）を行う。
【００５８】
Ｓ１１０にてカメラ本体２００に装着されている撮影レンズ１０１により動作可能と判定すると（Ｓ１１０でＹｅｓ）、システムコントローラ２２３は、ＡＦキャリブレーションモードでの撮影準備動作設定を可能と判定し、Ｓ１１１へ処理を移行する。
【００５９】
また、前述した何らかの理由により、Ｓ１０９及びＳ１１０でＡＦキャリブレーションモードが設定されているが動作不可能と判定された場合には（Ｓ１１０でＮｏ）、システムコントローラ２２３は、Ｓ１１７へ処理を移行する。そして、システムコントローラ２２３は、Ｓ１１７でユーザーへ警告を行った後、Ｓ１１８でＡＦキャリブレーションモードの解除処理を行い、撮影モード設定処理状態となる。
【００６０】
Ｓ１１１で、システムコントローラ２２３は、ＡＦキャリブレーション撮影時のＡＦブラケット量の設定を行う為、ブラケット量設定ＳＷ２３２がＯＮされたかどうか判別する。ＯＮされれば、システムコントローラ２２３は、Ｓ１１２へ処理を移行する。ＯＮされなければ（Ｓ１１１でＯＦＦ）、システムコントローラ２２３は、Ｓ１１６でＡＦキャリブレーション撮影時のＡＦブラケット量を基準設定値ａと設定し、ＡＦキャリブレーション撮影シーケンスＳ１１５へと処理を移行する。
【００６１】
Ｓ１１２で、システムコントローラ２２３は、電子ダイヤルＳＷ２２６の操作クリック数を検出する。ユーザーは、電子ダイヤルＳＷ２２６を任意の方向に回転させ、ＡＦブラケットステップ量を基準値ａに対して操作クリック毎に、「基準値ａ×０．２５」⇔「基準値ａ×０．５」⇔「基準値ａ」⇔「基準値ａ×２」⇔「基準値ａ×４」と変化させる事が出来る。ただし、「基準値×０．２５」及び「基準値×４」をそれぞれ上限・下限値とし、それ以上の変化をさせようとして電子ダイヤルを操作しても無視するようにしてもよい。
【００６２】
ＡＦブラケットステップ量の基準値は、絞り制御回路１０６から開放絞り値情報（ＦＮＯ）をシステムコントローラ２２３が受け取り、下記の式２にて決定される。
基準値ａδ＝ＦＮＯ×ε  …（式２）
【００６３】
ここで、ＦＮＯは絞り値情報を示し、εは許容錯乱円径を示す。また、本実施形態での基準値ａは、「焦点深度δ＝ＦＮＯ×ε」と同じ値であり、ε＝０．０３ｍｍとしている。
【００６４】
ＡＦブラケットステップ量を可変とする事で下記の事が可能となる。つまり、大きなピント補正が必要な場合でも、ＡＦキャリブレーションをステップ量を段階的に変化（大きなステップ量から小さいステップ量へ）させて複数回実行する事で、ピント補正量を適切な値まで絞り込んで求めていく事が可能となる。
【００６５】
Ｓ１１３で、システムコントローラ２２３は、ブラケット量設定ＳＷ２３２がＯＦＦしたかどうか判定する。ＯＦＦしたのであれば、Ｓ１１４で、システムコントローラ２２３は、ブラケットステップ量「Ａ」をＳ１１３で選択されていたブラケットステップ量に設定する。そして、システムコントローラ２２３は、ＡＦキャリブレーション撮影シーケンスＳ１１５へ処理を移行する。
【００６６】
次に、図５を用いて、ＡＦキャリブレーション撮影シーケンス（Ｓ１１５）について説明する。ＡＦキャリブレーション撮影シーケンスは、システムコントローラ２２３により制御される。
【００６７】
Ｓ２０１で、システムコントローラ２２３は、カウンター２３３のカウント数Ｎをリセットする（例えばＮ＝０）。ここで、Ｎは整数であり、ブラケット撮影の撮影順序を示すインデックスとして用いられる。Ｓ２０２で、システムコントローラ２２３は、レリーズＳＷ１（２３１）がＯＮされたかどうか判別する。ＯＮされれば、システムコントローラ２２３は、撮像露出を決定するＳ２０３、Ｓ２０５の処理に移行する。
【００６８】
Ｓ２０３で、測光回路２０７は、撮影レンズ１０１を通りクイックリターンミラー２０２で反射され、ペンタプリズム２０１を通過した光束を測光する。Ｓ２０４で、システムコントローラ２２３は、測光回路２０７の出力に応じて撮像時の露出量（絞り値情報）を決定する。
【００６９】
Ｓ２０５で、システムコントローラ２２３は、ＡＦセンサー２０４及び焦点検出回路２０５を用いて対象物を測距する。Ｓ２０６で、システムコントローラ２２３は、測距出来たかどうか判別する。測距した対象物が低コントラストの場合や暗い場合には測距出来ない事がある。測距出来なかった場合（Ｓ２０６でＮＧ）、システムコントローラ２２３は、Ｓ２１０で警告を行う。
【００７０】
Ｓ２０７で、システムコントローラ２２３は、Ｓ２０５で得られた測距結果に基づき、レンズ制御回路１０４にレンズ駆動量を送信する。レンズ制御回路１０４は、送信されてきたレンズ駆動量に基づきレンズ駆動機構１０３を制御し、レンズ駆動機構１０３は、撮影レンズ１０１を合焦位置へと駆動する。この時、ＡＦ補正値（ＣＡＬデータ）を既に持っていたならば、レンズ駆動量は、
レンズ駆動量＝測距結果＋製造時のＡＦ補正値（調整データ）＋ＡＦ補正値（ＣＡＬデータ）
となる。
【００７１】
Ｓ２０８で、システムコントローラ２２３は、Ｓ２０７で駆動させた撮影レンズ１０１の位置をＡＦ基準位置として設定し、記憶する。Ｓ２０９で、システムコントローラ２２３は、画像データコントローラ２２０に対し、画像データ記録メディア２１８にＡＦキャリブレーションの画像データを保存するフォルダの作成指示を出す。それを受けて画像データコントローラ２２０は、画像圧縮回路２１９を介して画像データ記録メディア２１８にＡＦキャリブレーション画像データ保存用のフォルダを作成する。
【００７２】
Ｓ２１１で、システムコントローラ２２３は、レリーズＳＷ２（２３０）がＯＮされたかどうか判別する。ＯＮされていれば、システムコントローラ２２３は、Ｓ２１２へ処理を移行する。
【００７３】
Ｓ２１２で、システムコントローラ２２３は、ピント位置ズラシ量「ＤＦ」の演算を行う。システムコントローラ２２３は、カウンター２３３から現在のカウント数Ｎを受け取り、ピント位置ズラシ量「ＤＦ」を以下の式から演算する。
ＤＦ＝Ａ×（Ｎ−４）
【００７４】
Ｓ２１３で、システムコントローラ２２３は、カウンター２３３のカウント数Ｎを一つカウントアップする（Ｎ＝Ｎ＋１）。Ｓ２１４で、システムコントローラ２２３は、Ｓ２１２で演算したピント位置ズラシ量「ＤＦ」をレンズ制御回路１０４に送信する。それを受けてレンズ制御回路１０４は、レンズ駆動回路１０３を制御し、撮影レンズ１０１をピント位置ズラシ量「ＤＦ」の位置まで駆動する。
【００７５】
Ｓ２１５で、システムコントローラ２２３は、シャッターチャージ・ミラー駆動機構２１１を制御し、クイックリターンミラー２０２のミラーアップが行われる。Ｓ２１６で、システムコントローラ２２３は、Ｓ２０４で設定された絞り値情報を絞り制御回路１０６へ送信し、それを受けた絞り制御回路１０６が絞り駆動機構１０５を駆動して、設定された絞り値まで絞り込みが行われる。
【００７６】
Ｓ２１７で、システムコントローラ２２３は、フォーカルプレーンシャッタ２０８を開くよう各部を制御する。Ｓ２１８で、システムコントローラ２２３は、画像データコントローラ２２０（ＤＳＰ）に対してイメージセンサ２１０の積分動作を指示する。Ｓ２１９で、システムコントローラ２２３は、所定時間の間待機し、積分時間が終わると（Ｓ２１９でＹｅｓ）、Ｓ２２０へ処理を移行し、フォーカルプレーンシャッタ２０８を閉じる。
【００７７】
システムコントローラ２２３は、Ｓ２２０及びＳ２２１で、次回の動作に備えてフォーカルプレーンシャッタ２０８のチャージ動作及びミラーダウン駆動を行う。Ｓ２２２で、システムコントローラ２２３は、絞り制御回路１０６及び絞り駆動機構１０５を介して、絞り１０２を開放へと駆動する。
【００７８】
Ｓ２２３で、システムコントローラ２２３は、画像データコントローラ２２０に対してイメージセンサ２１０から画像データを取り込むように指示する。この際、イメージセンサ２１０から取り込む画像データは、ＡＦに使用された測距点を含む限定されたエリアの画像データでも良い。
【００７９】
Ｓ２２４で、システムコントローラ２２３は、画像データコントローラ２２０へ現在のピント位置ズラシ量「ＤＦ」を送信する。それを受けて画像データコントローラ２２０は、Ｎ値、レンズＩＤ情報、画像データ及びピント位置ズラシ量「ＤＦ」を関連付けて、画像圧縮回路２１９を通して画像データ記録メディア２１８へ記録する。
【００８０】
Ｓ２２５で、システムコントローラ２２３は、カウンター２３３のカウント数Ｎの値を確認する。カウント数Ｎが所定の値になっていれば、システムコントローラ２２３は、ＡＦキャリブレーション撮影シーケンスが完了したと判定し、ＡＦキャリブレーション画像選択シーケンス（図６）へと処理を移行する。なお、当該所定の値は例えば７である。
【００８１】
次に、図６を用いて、ＡＦキャリブレーション画像選択シーケンスについて説明する。
【００８２】
Ｓ３０１で、システムコントローラ２２３は、電子ダイヤルＳＷ２２６の操作状態を検出する。電子ダイヤルＳＷ２２６の操作はカウンター２３３によりカウントされ（カウント数Ｎ）、システムコントローラ２２３は、左回転されれば（カウントダウン：Ｎ＝Ｎ−１）Ｓ３０２へ、右回転されれば（カウントアップ：Ｎ＝Ｎ＋１）Ｓ３０５へ処理を移行する。なお、Ｓ３０１での初期のカウント数Ｎは、上記所定の値（例えば７）であってもよいし、１であってもよい。
【００８３】
Ｓ３０２で、システムコントローラ２２３は、カウンターのカウント数Ｎが「０」より小さいかどうか判定する。Ｎが０以下の場合（Ｓ３０２でＹｅｓ）、Ｓ３０３で、システムコントローラ２２３は、選択表示出来るＡＦキャリブレーション撮影画像データがない事を画像表示回路２１３及び／又はブザー（不図示）を用いて警告を行い、Ｓ３０１に処理を戻す。カウンターのカウント数Ｎが０より大きい場合（Ｓ３０２でＮｏ）、Ｓ３０８へ処理を移す。
【００８４】
Ｓ３０５で、システムコントローラ２２３は、カウンターのカウント数ｎがＳ２２５の上記所定値（例えば７）より大きいかどうか判別する。ｎが当該所定値より大きい場合（Ｓ３０５でＹｅｓ）、Ｓ３０６で、システムコントローラ２２３は、選択表示出来るＡＦキャリブレーション撮影画像データがない事を画像表示回路２１３及び／又はブザーを用いて警告を行い、Ｓ３０１へ処理を戻す。ｎが当該所定値以下の場合（Ｓ３０５でＮｏ）、Ｓ３０８へ処理を移す。
【００８５】
Ｓ３０８で、システムコントローラ２２３は、電子ダイヤルＳＷ２２６の操作に応じて変化したカウント数ｎに応じたＡＦキャリブレーション画像データを画像データ記録メディア２１８から読み出し、その画像を画像表示回路２１３に表示する。ＡＦキャリブレーションで撮影された画像の表示を行うＳ３０８のＡＦキャリブレーション画像表示については後述する。
【００８６】
Ｓ３０９で、システムコントローラ２２３は、決定ＳＷ２２７がＯＮされたかどうか判別する。ＯＮされていればＳ３１０へ処理を移行し、ＯＮされていなければＳ３０１に処理を戻す。
【００８７】
Ｓ３１０で、システムコントローラ２２３は、Ｓ３０９で決定ＳＷ２２７がＯＮされた時のＡＦキャリブレーション画像データに関連付けて画像データ記録メディア２１８に記録されたピント位置ズラシ量「ＤＦ」をＡＦ補正値（ＣＡＬデータ）として決定する。Ｓ３１１で、システムコントローラ２２３は、Ｓ３１０で決定したＡＦ補正値（ＣＡＬデータ）を、レンズ制御回路１０４が持っているレンズＩＤと共にＥＥＰＲＯＭ２２２に書き込む。
【００８８】
Ｓ３１２で、システムコントローラ２２３は、ＡＦキャリブレーション画像データ全て及びＡＦキャリブレーション画像データ用フォルダを画像データ記録メディア２１８から削除する。
【００８９】
次に、図７を用いて、通常撮影のシーケンスについて説明する。このフローチャートにおける各処理はシステムコントローラ２２３がＥＥＰＲＯＭ２２２に格納されたプログラムを実行することにより実現される。レリーズＳＷ１（２３１）が押されると不図示の電源制御部が起動しシステムコントローラ２２３への給電が開始され、システムコントローラ２２３は、図７のＳ４０１より処理の実行を開始する。
【００９０】
Ｓ４０１で、システムコントローラ２２３は、レリーズＳＷ１（２３１）がＯＮされたかどうか判別する。ＯＮされれば撮像露出を決定するＳ４０２、Ｓ４０４の処理に分岐・移行し、ＯＮされていなければＳ４０１の処理を繰り返す。
【００９１】
Ｓ４０２で、測光回路２０７は、撮影レンズ１０１を通りクイックリターンミラー２０２で反射され、ペンタプリズム２０１を通過した光束を測光する。Ｓ４０３で、システムコントローラ２２３は、測光回路２０７の出力に応じて撮像時の露出量を決定する。
【００９２】
Ｓ４０４で、システムコントローラ２２３は、ＡＦセンサー２０４及び焦点検出回路２０５を使い、対象物に対する測距を行う。Ｓ４０５で、システムコントローラ２２３は、Ｓ４０４で測距出来たかどうか判別する。測距した対象物が低コントラストの場合や暗い場合には測距出来ない事があり、測距出来なかった場合（Ｓ４０５でＮＧ）、Ｓ４０９で警告を行う。測距出来た場合（Ｓ４０５でＯＫ）、Ｓ４０６へ処理を移す。
【００９３】
Ｓ４０６で、システムコントローラ２２３は、レンズ制御回路１０４からレンズＩＤ情報を受け取り、カメラ本体２００に取り付けられた撮影レンズ（レンズＩＤで判別）に関するＡＦ補正値（ＣＡＬデータ）がＥＥＰＲＯＭ２２２に記憶されているか判別する。記憶されていなければ（Ｓ４０６で無し）、システムコントローラ２２３は、ＡＦ補正値を焦点検出結果に加算しない。
【００９４】
記憶されていれば（Ｓ４０６で有り）、Ｓ４０７で、システムコントローラ２２３は、測距結果にＡＦ補正値（ＣＡＬデータ）を加算する。つまり、ＡＦ補正値（ＣＡＬデータ）を既に持っていたならば、レンズ駆動量は、
レンズ駆動量＝測距結果＋製造時のＡＦ補正値（調整データ）＋ＡＦ補正値（ＣＡＬデータ）
となる。
【００９５】
Ｓ４０８で、システムコントローラ２２３は、測距結果に基づき、レンズ制御回路１０４にレンズ駆動量を送信する。そして、レンズ制御回路１０４は、送信されたレンズ駆動量に基づきレンズ駆動機構１０３を制御し、レンズ駆動機構１０３は撮影レンズ１０１を合焦位置へと駆動する。
【００９６】
Ｓ４１０で、システムコントローラ２２３は、レリーズＳＷ２（２３０）がＯＮされたかどうか判別する。ＯＮされていれば、Ｓ４１１へ処理を移行する。Ｓ４１１で、システムコントローラ２２３は、シャッターチャージ・ミラー駆動機構２１１を制御し、クイックリターンミラー２０２のミラーアップが行われる。
【００９７】
Ｓ４１２で、システムコントローラ２２３は、Ｓ２０４で設定された絞り値情報を絞り制御回路１０６へ送信し、絞り駆動機構１０５を駆動して、設定された絞り値まで絞り１０２の絞り込みが行われる。
【００９８】
Ｓ４１３で、システムコントローラ２２３は、フォーカルプレーンシャッタ２０８を開くよう各部を制御する。Ｓ４１４で、システムコントローラ２２３は、画像データコントローラ２２０（ＤＳＰ）に対してイメージセンサ２１０の積分動作を指示する。Ｓ４１５で、システムコントローラ２２３は、所定時間の間待機し、積分時間が終わるとＳ４１６へ処理を移行し、フォーカルプレーンシャッタ１０を閉じる。
【００９９】
システムコントローラ２２３は、Ｓ４１７で、次回の動作に備えてフォーカルプレーンシャッタ２０８のチャージ動作及びミラーダウン駆動を行う。Ｓ４１８で、システムコントローラ２２３は、絞り制御回路１０６及び絞り駆動機構１０５を介して、絞り１０２を開放へと駆動する。Ｓ４１９で、システムコントローラ２２３は、画像データコントローラ２２０に対してイメージセンサ２１０から画像データを取り込むように指示する。Ｓ４２０で、システムコントローラ２２３は、画像データコントローラ２２０が読み出した画像データを画像圧縮回路２１９を通し、画像データ記録メディア２１８へ記録させる。
【０１００】
図４から図７を用いて説明したように、ＡＦキャリブレーションによるＡＦ補正値（ＣＡＬデータ）の調整を行い、通常撮影（通常撮影モード）にＡＦ補正値（ＣＡＬデータ）を利用することができる。
【０１０１】
次に、図６のＳ３０８のＡＦキャリブレーション画像表示の処理について説明する。
【０１０２】
カメラ本体２００には、画像表示の仕組みとして、「ＡＦキャリブレーション画像表示」及び「通常画像表示」が備わっている。「ＡＦキャリブレーション画像表示」は、ＡＦキャリブレーションモード内で起動される画像表示の仕組みである。一方、「通常画像表示」は、通常撮影モードで撮影した画像を再生表示する再生モード内で起動される画像表示の仕組みである。
【０１０３】
ＡＦキャリブレーション画像表示の動作と比較しやすくする為に、まず通常画像表示の処理について説明を行う。
【０１０４】
図８は、本実施形態における通常画像表示処理のフローチャートである。このフローチャートにおける各処理はシステムコントローラ２２３がＥＥＰＲＯＭ２２２に格納されたプログラムを実行することにより実現される。
【０１０５】
ユーザにより再生ＳＷ２３７が押されると不図示の電源制御部が起動しシステムコントローラ２２３への給電が開始され、システムコントローラ２２３は図８のＳ５０２より処理の実行を開始する。
【０１０６】
Ｓ５０２で、システムコントローラ２２３は、画像データ記録メディア２１８に格納されている画像ファイルを読み出す。ここで、一般的なファイル構成として、撮影設定、サムネイル画像、本画像から１つの画像ファイルが構成されているものとして説明を進める。
【０１０７】
Ｓ５０４で、システムコントローラ２２３は、ユーザーによる電子ダイヤルＳＷ２２６の操作により、画像切り替え要求が発生しているかを判定する。画像切り替え要求が発生していればＳ５０６へ、画像切り替え要求が発生していなければＳ５０８へ処理を移す。Ｓ５０６で、システムコントローラ２２３は、Ｓ５０２で読み出した画像ファイルに含まれるサムネイル画像を画像表示回路２１３に表示する。
【０１０８】
ここで、図１０（ａ）、（ｂ）を用いて、本画像表示とサムネイル画像表示の切り替え方法について説明する。
【０１０９】
通常画像表示では、図１０（ａ）の符号５００に示すような本画像を画像表示回路２１３に表示するが、本画像５００を表示する前にユーザーが電子ダイヤルＳＷ２２６を操作し画像切り替え要求が発生することがある。この場合、本画像５００の表示を待ってから画像の切り替えを行うと本画像の表示負荷が大きい為に時間がかかってしまう。そこで、本画像５００を表示する前に画像切り替え要求が発生した場合には表示負荷の少ない図１０（ｂ）の符号５１０に示すようなサムネイル画像５１０を表示し次の画像の表示に進むことで表示切り替えに時間がかからないようにする。
【０１１０】
図８の説明に戻り、Ｓ５０８で、システムコントローラ２２３は、通常本画像表示の関数をコールする。ここで、図９のフローチャートを用いて通常本画像表示の関数のシーケンスについて説明する。
【０１１１】
図９のＳ６０２で、システムコントローラ２２３は、Ｓ５０２で読み出した画像ファイルに記録されている撮影設定及び撮像装置１に関する設定を解析する。ここで、当該撮影設定には、画像が撮像装置１を縦位置にして撮影されたことを示す縦撮影設定、及び撮影時にピントが合ったＡＦ位置を示すＡＦ位置設定が含まれる。また、撮像装置１の設定には、画像表示回路２１３の画像の回転表示を許可するカメラ縦表示設定、並びに画像表示回路２１３の画像に重畳してそれぞれグリッド及びＡＦ枠を表示するカメラグリッド表示設定及びカメラＡＦ枠表示設定が含まれる。
【０１１２】
Ｓ６０４で、システムコントローラ２２３は、カメラ縦表示設定がＯＮの場合に画像を回転して画像表示回路２１３に表示するためのカメラ縦表示設定がＯＮかどうかを判定する。カメラ縦表示設定がＯＮであれば（Ｓ６０４でＹｅｓ）Ｓ６０６へ、ＯＦＦであれば（Ｓ６０４でＮｏ）Ｓ６１０へ処理を移す。
【０１１３】
Ｓ６０６で、システムコントローラ２２３は、表示する画像の縦撮影設定がＯＮかどうかを判定する。縦撮影設定がＯＮであれば（Ｓ６０６でＹｅｓ）Ｓ６０８へ、ＯＦＦであれば（Ｓ６０６でＮｏ）Ｓ６１０へ処理を移す。
【０１１４】
Ｓ６０８で、システムコントローラ２２３は、Ｓ５０２で読出した本画像を回転させて画像表示回路２１３に表示する。画像を回転させて表示することにより、図１１（ａ）の回転画像６１０に示すような本画像が表示される。他方、Ｓ６１０では、システムコントローラ２２３は、Ｓ５０２で読出した本画像を画像表示回路２１３に表示する。この場合、図１０（ａ）の本画像５００に示すような本画像が表示される。
【０１１５】
Ｓ６１２で、システムコントローラ２２３は、画像にグリッド線を重畳するためのカメラグリッド表示設定がＯＮかどうかを判定する。カメラグリッド表示設定がＯＮであればＳ６１４へ、ＯＦＦであればＳ６１６へ処理を移す。
【０１１６】
Ｓ６１４で、システムコントローラ２２３は、グリッドを重畳して画像表示回路２１３に表示する。グリッドを表示することにより図１１（ｂ）のグリッド画像６２０に示すような本画像が表示される。なお、Ｓ６０８で画像を回転させている場合は、図１１（ａ）の画像６１０にグリッドが重畳表示されたものとなる。
【０１１７】
Ｓ６１６で、システムコントローラ２２３は、画像にＡＦ枠を重畳するためのカメラＡＦ枠表示設定がＯＮかどうかを判定する。カメラＡＦ枠表示設定がＯＮであれば（Ｓ６１６でＹｅｓ）Ｓ６１８へ処理を移し、ＯＦＦであれば（Ｓ６１６でＮｏ）通常本画像表示シーケンスを終了する。
【０１１８】
Ｓ６１８で、システムコントローラ２２３は、表示する画像のＡＦ位置設定がＯＮかどうかを判定する。ＡＦ位置設定がＯＮであれば（Ｓ６１８でＹｅｓ）Ｓ６２０へ処理を移し、ＯＦＦであれば（Ｓ６１８でＮｏ）通常本画像表示シーケンスを終了する。
【０１１９】
Ｓ６２０で、システムコントローラ２２３は、ＡＦ枠を重畳して画像表示回路２１３に表示する。ＡＦ枠６３２を表示することにより図１１（ｃ）のＡＦ枠画像６３０に示すような本画像が表示される。
【０１２０】
図８の説明に戻り、Ｓ５１０で、システムコントローラ２２３は、ユーザーによる電子ダイヤルＳＷ２２６の操作により画像切り替え要求が発生しているかを判定する。画像切り替え要求が発生していれば（Ｓ５１０でＹｅｓ）Ｓ５０２へ処理を戻し、画像切り替え要求が発生していなければ（Ｓ５１０でＮｏ）Ｓ５１２へ処理を移す。
【０１２１】
Ｓ５１２で、システムコントローラ２２３は、再生表示のタイマーが満了しているかを判定する。タイマーが満了していれば（Ｓ５１２でＹｅｓ）通常画像表示シーケンスを終了し、タイマーが満了していなければ（Ｓ５１２でＮｏ）Ｓ５１０へ処理を戻す。
【０１２２】
このように、通常画像表示において、本画像を表示する前に画像切り替え要求が発生した場合には表示負荷の少ないサムネイル画像を表示し次の画像の表示に進むことで表示切り替えに時間がかからないようにしている。また、撮影画像に記録された撮影設定解析を行い画像回転表示を行う様にしている。また、撮像装置１の設定となるカメラグリッド表示設定に従いグリッド表示を行い、カメラＡＦ枠表示設定によりＡＦ枠表示を行う様にしている。
【０１２３】
戻って、図６のＳ３０８のＡＦキャリブレーション画像表示の処理について説明する。
【０１２４】
図１２は、本実施形態におけるＡＦキャリブレーション画像表示処理のフローチャートである。このフローチャートにおける各処理はシステムコントローラ２２３がＥＥＰＲＯＭ２２２に格納されたプログラムを実行することにより実現される。
【０１２５】
Ｓ７０２で、システムコントローラ２２３は、画像データ記録メディア２１８に格納され、Ｓ３０１の電子ダイヤルＳＷ２２６の回転により選択された画像に関する画像ファイルを読み出す。Ｓ７０４で、システムコントローラ２２３は、ＡＦキャリブレーション本画像表示の関数をコールする。ここで、ＡＦキャリブレーション本画像表示の関数について図１３のフローチャートを用いて説明する。
【０１２６】
図１３のＳ８０２で、システムコントローラ２２３は、Ｓ７０２で読み出された画像ファイルに記録されている撮影設定及び撮像装置１に関する設定を解析する。ここで、当該撮影設定には、撮影時にカメラを縦位置にしたことを示す縦撮影設定、及び撮影時にピントが合ったＡＦ位置を示すＡＦ位置設定が含まれる。また、撮像装置１に関する設定には、画像表示回路２１３の画像の回転表示を許可するカメラ縦表示設定、並びに画像表示回路２１３の画像に重畳してそれぞれグリッド及びＡＦ枠を表示するカメラグリッド表示設定及びカメラＡＦ枠表示設定が含まれる。
【０１２７】
Ｓ８０４で、システムコントローラ２２３は、電子ダイヤルＳＷ２２６、決定ＳＷ２２７又は拡大縮小ＳＷ２３８で拡大位置の指定や拡大がされている場合、拡大位置及び拡大率を維持した上でＤＲＡＭ２２１に画像表示回路２１３に表示する画像を格納する。つまり、システムコントローラ２２３は、ＡＦ補正モードで撮影された画像に対して拡大位置及び拡大率が指定されている場合、画像表示回路２１３（表示部）に表示する画像に対しても拡大位置及び拡大率を指定して表示する。
【０１２８】
Ｓ８０６で、システムコントローラ２２３は、Ｓ８０４でＤＲＡＭ２２１に格納された画像が画像表示回路２１３に表示される。このとき、図１０（ａ）の本画像５００に示すような本画像が表示される。
【０１２９】
Ｓ８０８で、システムコントローラ２２３は、画像を回転して画像表示回路２１３に表示するためのカメラ縦表示設定がＯＮかどうかを判定する。カメラ縦表示設定がＯＮであれば（Ｓ８０８でＹｅｓ）Ｓ８１０へ、ＯＦＦであれば（Ｓ８０８でＮｏ）Ｓ８１２へ処理を移す。Ｓ８１０で、システムコントローラ２２３は、上記のとおり通常画像表示ではカメラ縦表示設定に従い画像を回転して画像表示回路２１３に表示するが、ＡＦキャリブレーション画像表示ではカメラ縦表示設定を無視する。つまり、システムコントローラ２２３は、画像表示回路２１３（表示部）に表示する画像に、撮像装置１が縦位置の状態で撮影されたことを示す縦撮影設定が記録されていても、それを反映させずに当該画像を画像表示回路２１３に表示する。
【０１３０】
Ｓ８１２で、システムコントローラ２２３は、画像にグリッド線を重畳するためのカメラグリッド表示設定がＯＮかどうかを判定する。カメラグリッド表示設定がＯＮであれば（Ｓ８１２でＹｅｓ）Ｓ８１４へ、ＯＦＦであれば（Ｓ８１２でＮｏ）Ｓ８１６へ処理を移す。Ｓ８１４で、システムコントローラ２２３は、上記のとおり通常画像表示ではカメラグリッド表示設定に従い画像にグリッド線を重畳して画像表示回路２１３に表示するが、ＡＦキャリブレーション画像表示ではカメラグリッド表示設定を無視する。つまり、システムコントローラ２２３は、撮像装置の設定としてカメラグリッド表示設定が設定されていても、それを反映させずに画像を画像表示回路２１３（表示部）に表示する。
【０１３１】
Ｓ８１６で、システムコントローラ２２３は、画像にＡＦ枠を重畳するためのカメラＡＦ枠表示設定がＯＮかどうかを判定する。カメラＡＦ枠表示設定がＯＮであれば（Ｓ８１６でＹｅｓ）Ｓ８１８へ、ＯＦＦであれば（Ｓ８１６でＮｏ）ＡＦキャリブレーション画像表示シーケンスを終了する。Ｓ８１８で、システムコントローラ２２３は、上記のとおり通常画像表示ではカメラＡＦ枠表示設定に従いＡＦ枠を重畳して画像表示回路２１３に表示するが、ＡＦキャリブレーション画像表示では通常画像表示のときよりもＡＦ枠を大きく表示する。これにより図１５のＡＦ枠８３２に示すような本画像８３０が表示される。つまり、システムコントローラ２２３は、撮像装置１の設定としてカメラＡＦ枠表示設定が設定されている場合、通常撮影モードにおけるＡＦ枠よりも大きなＡＦ枠を画像に重畳して画像表示回路２１３（表示部）に表示する。
【０１３２】
図１２の説明に戻り、Ｓ７０６で、システムコントローラ２２３は、ブラケット撮影の撮影順序を示すインデックス番号を重畳して画像表示回路２１３に表示する。このとき、図１４のインデックス画像７００に示すような本画像が表示され、符号７０２に示すようなインデックス番号が画像中に重畳して表示される。
【０１３３】
Ｓ７０８で、システムコントローラ２２３は、ユーザーによる電子ダイヤルＳＷ２２６の操作により画像切り替え要求が発生しているかを判定する。画像切り替え要求が発生すると、１つの要求に対して画像切り替えキューを１つ追加した上でＤＲＡＭ２２１に画像切り替えキューが格納される。そして、ＤＲＡＭ２２１に格納されている画像切り替えキューが１つ以上あれば（Ｓ７０８でＹｅｓ）Ｓ７１０へ、画像切り替えキューがなければ（Ｓ７０８でＮｏ）Ｓ７１２へ処理を移す。
【０１３４】
ここでは、画像切り替えキューに格納される数に制限がないものとしているが、画像切り替えキューに格納される数が１つだけにして、実行中の画像切り替え処理以外の画像切り替え要求を破棄するようにしてもよい。また、画像切り替えキューに格納される数をブラケット撮影の枚数だけとしてもよい。
【０１３５】
Ｓ７１０で、システムコントローラ２２３は、ＤＲＡＭ２２１から画像切り替えキューを１つ取り出し、ＤＲＡＭ２２１の画像切り替えキューを更新し、Ｓ７０２へ処理を戻す。Ｓ７１２で、システムコントローラ２２３は、再生表示のタイマーが満了しているかを判定する。タイマーが満了していれば（Ｓ７１２でＹｅｓ）ＡＦキャリブレーション画像表示シーケンスを終了し、タイマーが満了していなければ（Ｓ７１２でＮｏ）Ｓ７０８へ処理を戻す。
【０１３６】
このように、本実施形態のＡＦキャリブレーション画像表示では通常画像表示のときと異なり、本画像を表示する前に画像切り替え要求が発生してもサムネイル画像を表示することなく次の本画像の表示に進むようにしている。また、撮像装置１の設定となるカメラ縦位置表示設定及びカメラグリッド表示設定を無視する様にしている。また、カメラＡＦ枠表示を通常画像表示よりも大きく表示する様にし、ブラケット撮影の撮影順序を示すインデックス番号を重畳して本画像を表示するようにしている。
【０１３７】
ＡＦキャリブレーションの本来の目的は、ピントの確認を行いやすくすることである。これに対して、通常撮影モードで撮影した画像を再生表示する再生モード内で起動される画像表示の仕組みである通常画像表示では、以下の理由からピントの確認が難しい仕組みである。
１：画像切り替え要求がある場合にサムネイル表示を行い画像切り替えの時間を短縮しているが本来ピント確認を行うために表示する本画像が表示されなくなる。
２：縦位置表示を行う場合はカメラの回転に合わせて撮影方向を合わせる動作をするため縦位置表示を行うと画像が比較的小さく表示される。
３：カメラグリッド表示では撮像装置１の設定に従いグリッド線を表示するためグリッド線が画像にかぶる。
４：カメラＡＦ枠表示では撮像装置１の設定に従いＡＦ枠を表示するため画像にかぶる。
【０１３８】
しかし、本実施形態における、ＡＦキャリブレーションモード内で起動される画像表示の仕組みであるＡＦキャリブレーション画像表示では、そのような状況に対してもピント確認が行いやすくなっている。
【０１３９】
以上のように、本実施形態の撮像装置１は、通常撮影モードで撮影された画像を表示する再生モードとＡＦキャリブレーションモードで撮影された画像を表示する再生モードの複数の再生モードを持つ。言い換えると、撮像装置１は、複数の画像から選択された画像を基に撮影レンズ１０１の合焦位置を補正する為のＡＦ補正値を算出するＡＦ補正モードと、ＡＦ補正値を基に撮影レンズの焦点の調節を行い撮影を行う通常撮影モードとを有する。
【０１４０】
通常撮影モード又はＡＦキャリブレーションモードに応じて画像の再生モードを切り替えることで、ＡＦキャリブレーションモードで撮影された画像を表示する態様（ＡＦキャリブレーション画像表示）では目的とするピントの確認を容易にする。言い換えると、撮像装置１の制御装置２２３は、通常撮影モードにおいて、このモードで撮影された複数の画像の切り替え要求を受け取ると、通常撮影モードに係る切り替え後の画像を第１の態様で撮像装置の表示部２１３に表示する。また、制御装置２２３は、ＡＦ補正モードにおいて、このモードで撮影された複数の画像の切り替え要求を受け取ると、ＡＦ補正モードに係る切り替え後の画像を第１の態様とは異なる第２の態様で表示部に表示する。
【０１４１】
［第２実施形態］
本発明の第２実施形態は、ＡＦキャリブレーションモードに関する本画像表示の動作において、本画像を表示してタイマーが満了する前に画像切り替え要求が発生した場合に対処する撮像装置に関する。なお、本実施形態の撮像装置１の構成は、第１実施形態のものと同じであり、説明を省略する。
【０１４２】
図１６は、本実施形態におけるＡＦキャリブレーション画像表示処理のフローチャートである。このフローチャートにおける各処理はシステムコントローラ２２３がＥＥＰＲＯＭ２２２に格納されたプログラムを実行することにより実現される。ここで、第１実施形態と同じ処理については図１２と同じ符号を付しており、説明を省略する。
【０１４３】
Ｓ７２０で、システムコントローラ２２３は、ユーザーによる電子ダイヤルＳＷ２２６の操作により画像切り替え要求が発生しているかを判定する。画像切り替え要求が発生すると、１つの要求に対して画像切り替えキューを１つ追加した上でＤＲＡＭ２２１に画像切り替えキューが格納される。ＤＲＡＭ２２１に格納されている画像切り替えキューが１つ以上あれば（Ｓ７２０でＹｅｓ）Ｓ７２１へ、画像切り替えキューがなければ（Ｓ７２０でＮｏ）Ｓ７１０へ処理を移行する。
【０１４４】
Ｓ７２１で、システムコントローラ２２３は、Ｓ７０４のＡＦキャリブレーション本画像表示シーケンスにおいて画像表示回路２１３に表示された本画像の表示タイマーが満了しているかを判定する。なお、当該タイマーは図１３のＳ８０６で本画像を表示後に発動し、所定の時間（例えば１秒）経過後に満了する。タイマーが満了していれば（Ｓ７２１でＹｅｓ）Ｓ７１０へ処理を移し、タイマーが満了していなければ（Ｓ７２１でＮｏ）Ｓ７２１の処理を繰り返す。
【０１４５】
このように、本実施形態のＡＦキャリブレーション画像表示において、本画像を表示してタイマーが満了する前に画像切り替え要求が発生した場合には次の本画像を表示せずにタイマーが満了、つまり一定時間本画像を表示するようにしている。
【０１４６】
以上のようにして、本実施形態の撮像装置１は、第１実施形態と同様に、ＡＦキャリブレーションモードで撮影された画像を表示する再生モード（ＡＦキャリブレーション画像表示）では目的とするピント確認を行いやすくする事が可能にする。さらに、本画像を一定時間表示することでピント確認が出来ずに表示画像が切り替わることを防ぐ事が可能である。
【０１４７】
［第３実施形態］
本発明の第３実施形態は、ＡＦキャリブレーションモードに関する本画像表示の動作において、本画像を表示する前に画像切り替え要求が発生した場合に対処する撮像装置に関する。なお、本実施形態の撮像装置１の構成は、第１実施形態のものと同じであり、説明を省略する。
【０１４８】
図１７は、本実施形態におけるＡＦキャリブレーション画像表示処理のフローチャートである。このフローチャートにおける各処理はシステムコントローラ２２３がＥＥＰＲＯＭ２２２に格納されたプログラムを実行することにより実現される。ここでは、第１実施形態と同じ処理については図１２と同じ符号を付しており、説明を省略する。
【０１４９】
Ｓ７３０で、システムコントローラ２２３は、ユーザーによる電子ダイヤルＳＷ２２６の操作により画像切り替え要求が発生しているかを判定する。画像切り替え要求が発生すると、１つの要求に対して画像切り替えキューを１つ追加した上でＤＲＡＭ２２１に画像切り替えキューが格納される。ＤＲＡＭ２２１に格納されている画像切り替えキューが１つ以上あれば（Ｓ７３０でＹｅｓ）Ｓ７３２へ、画像切り替えキューがなければ（Ｓ７３０でＮｏ）Ｓ７０４へ処理を移行する。
【０１５０】
Ｓ７３２で、システムコントローラ２２３は、ＤＲＡＭ２２１から画像切り替えキューを１つ取り出し、ＤＲＡＭ２２１の画像切り替えキューを更新する。このように、本実施形態のＡＦキャリブレーション画像表示において、本画像を表示する前に画像切り替え要求が発生した場合には次の画像ファイルを読み出してからＳ７０４〜Ｓ７１２の処理に進むようにしている。
【０１５１】
以上のようにして、本実施形態の撮像装置１は、第１実施形態と同様にＡＦキャリブレーションモードで撮影された画像を表示する再生モードでは目的とするピント確認を行いやすくする事を可能にする。さらに、ユーザーの画像切り替え要求に基づき本画像表示を切り替える事を可能にする。
【０１５２】
［第４実施形態］
本発明の第４実施形態は、ＡＦキャリブレーションモードに関する本画像表示の動作において、ＡＦ補正値が調整範囲外の場合に対処する撮像装置に関する。なお、本実施形態の撮像装置１の構成は、第１実施形態のものと同じであり、説明を省略する。
【０１５３】
図１８は、本実施形態におけるＡＦキャリブレーション本画像表示処理のフローチャートである。このフローチャートにおける各処理はシステムコントローラ２２３がＥＥＰＲＯＭ２２２に格納されたプログラムを実行することにより実現される。ここでは、第１実施形態のＡＦキャリブレーション本画像表示処理（図１３）と同じ処理については同じ符号を付して説明を省略する。なお、本実施形態のＡＦキャリブレーション本画像表示処理（図１８）は、図１２、図１６、図１７及び図１９におけるＳ７０４の処理のいずれに対しても適応可能である。
【０１５４】
Ｓ８３０で、システムコントローラ２２３は、Ｓ７０２で読み出された画像ファイルに記録されている撮影設定及び撮像装置１に関する設定を解析する。ここでは、当該撮影設定には、上記第１実施形態の撮影設定に加えて、ＡＦ補正値情報も含まれるものとする。
【０１５５】
Ｓ８３１で、システムコントローラ２２３は、ＡＦ補正値情報が調整範囲外にあるかどうかを判定する。調整範囲外であれば（Ｓ８３１でＹｅｓ）Ｓ８３２へ、調整範囲外でなければ（Ｓ８３１でＮｏ）Ｓ８０６へ処理を移行する。Ｓ８３２で、システムコントローラ２２３は、ＡＦ補正値情報が調整範囲外にある旨の警告を画像表示回路２１３に表示して、ＡＦキャリブレーション本画像表示処理のフローチャートを終了する。
【０１５６】
このように、ＡＦキャリブレーション本画像表示において、表示対象の本画像のＡＦ補正値が調整範囲外にある場合には、ユーザーが該当の本画像を選択してもＡＦ補正が正しく行えないため、該当の本画像を表示することなく警告表示をするようにしている。
【０１５７】
以上のように、本実施形態に係る撮像装置１は、第１実施形態と同様にＡＦキャリブレーションモードで撮影された画像を表示する再生モードでは目的とするピント確認を行いやすくする事が可能にする。さらに、ＡＦ補正が正しく出来ない画像については表示することなく警告することで、ユーザーにとって効果の少ない作業を行う事を防ぐ事が可能にする。
【０１５８】
なお、本実施形態では、表示対象の本画像のＡＦ補正値情報が調整範囲外にある場合に、警告表示を行うが、ユーザーにとって効果の少ない作業を行う事を防ぐために、画像を非表示にしたり、直前に表示した画像を表示したままにしてもよい。
【０１５９】
［第５実施形態］
本発明の第５実施形態では、ＡＦキャリブレーションに関する本画像表示の動作において、ＡＦ補正値が調整範囲外の画像を含む場合に対処する撮像装置に関する。なお、本実施形態の撮像装置１の構成は、第１実施形態のものと同じであり、説明を省略する。
【０１６０】
図１９は、本実施形態におけるＡＦキャリブレーション画像表示処理のフローチャートである。このフローチャートにおける各処理はシステムコントローラ２２３がＥＥＰＲＯＭ２２２に格納されたプログラムを実行することにより実現される。ここでは、第１実施形態のＡＦキャリブレーション本画像表示処理（図１２）と同じ処理については同じ符号を付して説明を省略する。
【０１６１】
Ｓ７４０で、システムコントローラ２２３は、画像データ記録メディア２１８に格納されている画像ファイルを読み出す。Ｓ７４２で、システムコントローラ２２３は、Ｓ７４０で読み出した画像ファイルに記録されている撮影設定を解析する。ここで、撮影設定には、上記第１実施形態の撮影設定に加えて、ＡＦ補正値情報も含まれるものとする。
【０１６２】
Ｓ７４４で、システムコントローラ２２３は、ＡＦ補正値情報が調整範囲内にあるかどうかを判定する。調整範囲内であれば（Ｓ７４４でＹｅｓ）Ｓ７４６へ、調整範囲内でなければ（Ｓ７４４でＮｏ）Ｓ７４８へ処理を移行する。
【０１６３】
Ｓ７４６で、システムコントローラ２２３は、画像ファイルをＡＦキャリブレーション本画像表示における表示対象画像として表示対象画像リストに追加する。Ｓ７４８で、システムコントローラ２２３は、ＡＦキャリブレーション撮影シーケンスにおけるブラケット撮影枚数分の画像ファイル全てをチェックしたかを判定する。チェックしている場合は（Ｓ７４８でＹｅｓ）Ｓ７０２へ処理を移行し、チェックしていない場合は（Ｓ７４８でＮｏ）Ｓ７４０へ処理を戻す。
【０１６４】
Ｓ７５０で、システムコントローラ２２３は、Ｓ７４６で記録された表示対象画像リストにＳ７０２で読み出した画像ファイルが含まれるかを判定する。含まれる場合は（Ｓ７５０でＹｅｓ）Ｓ７０４へ、含まれない場合は（Ｓ７５０でＮｏ）Ｓ７０８へ処理を移行する。
【０１６５】
このように、ＡＦキャリブレーション画像表示において、表示対象の本画像のＡＦ補正値情報が調整範囲外にある場合には、ユーザーが該当の本画像を選択してもＡＦ補正が正しく行えないため、あらかじめ表示対象の本画像から除外するようにしている。
【０１６６】
以上のようにして、本実施形態に係る撮像装置１は、第１実施形態と同様にＡＦキャリブレーションモードで撮影された画像を表示する再生モードでは目的とするピント確認を行いやすくする事が可能にする。さらに、ＡＦ補正が正しく出来ない画像については、あらかじめ表示対象画像から除外することで、ユーザーにとって効果の少ない作業を行う事を防ぐ事を可能にする。
【０１６７】
（その他の実施例）  
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１６８】
１：撮像装置
１００：レンズユニット
１０１：撮影レンズ
１０２：絞り
１０３：レンズ駆動機構
１０４：レンズ制御回路
１０５：絞り駆動機構
１０６：絞り制御回路
１０７：電気的接点群
２００：カメラ本体
２０１：ペンタプリズム
２０２：クイックリターンミラー
２０３：サブミラー
２０４：ＡＦセンサー
２０６：接眼レンズ
２０７：測光回路
２０８：フォーカルプレーンシャッタ
２０９：フィルタ
２１０：イメージセンサ
２１１：シャッターチャージ・ミラー駆動機構
２１２：シャッター制御機構
２１３：画像表示回路
２１４：エンコーダ回路
２１５：Ｄ／Ａコンバータ
２１６：Ａ／Ｄコンバータ
２１７：タイミングパルス発生回路
２１８：画像データ記録メディア
２１９：画像圧縮回路
２２０：画像データコントローラ
２２１：ＤＲＡＭ
２２２：ＥＥＰＲＯＭ
２２３：システムコントローラ
２２４：通信インターフェース回路
２２５：表示回路
２２６：電子ダイヤルＳＷ
２２７：決定ＳＷ
２２９：モード設定ＳＷ
２３０：レリーズＳＷ２
２３１：レリーズＳＷ１
２３２：ブラケット量設定ＳＷ
２３３：カウンター
２３６：メニューＳＷ
２３７：再生ＳＷ
２３８：拡大縮小ＳＷ
【図１】
0006544936.tif 000003
【図２】
0006544936.tif 000004
【図３】
0006544936.tif 000005
【図４】
0006544936.tif 000006
【図５】
0006544936.tif 000007
【図６】
0006544936.tif 000008
【図７】
0006544936.tif 000009
【図８】
0006544936.tif 000010
【図９】
0006544936.tif 000011
【図１０】
0006544936.tif 000012
【図１１】
0006544936.tif 000013
【図１２】
0006544936.tif 000014
【図１３】
0006544936.tif 000015
【図１４】
0006544936.tif 000016
【図１５】
0006544936.tif 000017
【図１６】
0006544936.tif 000018
【図１７】
0006544936.tif 000019
【図１８】
0006544936.tif 000020
【図１９】
0006544936.tif 000021